(57)【要約】【課題】施工性を容易にし、かつ確実に設置することができる照明器具および昇降装置付照明器具を提供する。【解決手段】被取付面Ｘに設置される取付部１１ａの両側にガイド部１１ｂを形成した取付具１１と；取付具のガイド部にガイドされ取付部と略面一とした状態で移動すると共に、ガイド部に当接して支持される接続具１４と；接続具が取付具に支持された状態で互いを係合する係合手段１１ｆと；前記接続具を一端に設けたランプホルダ２１ａと；ランプホルダの他端に装着されたランプ２２および反射笠２３と；を具備する照明器具２０を構成する。【選択図】        図１
2007335207.tif 000002
【特許請求の範囲】
【請求項１】
被取付面に設置される取付部の両側にガイド部を形成した取付具と；
取付具のガイド部にガイドされ取付部と略面一とした状態で移動すると共に、ガイド部に当接して支持される接続具と；
接続具が取付具に支持された状態で互いを係合する係合手段と；
前記接続具を一端に設けたランプホルダと；
ランプホルダの他端に装着されたランプおよび反射笠と；
を具備することを特徴とする照明器具。
【請求項２】
被取付面に設置される取付部の両側に支持段部を形成した取付具と；
取付具の支持段部にガイドされ取付部と略面一とした状態で移動すると共に、支持段部に当接して支持される接続具と；
接続具が取付具に支持された状態で互いを係合する係合手段と；
前記接続具を一端に設けたランプホルダと；
ランプホルダの他端に装着されたランプおよび反射笠と；
を具備することを特徴とする照明器具。
【請求項３】
天井面に取り付けられ、昇降部をワイヤによって昇降可能とした昇降装置と；
取付具が昇降装置の昇降部に設置された請求項１または２に記載の照明器具と；
を具備することを特徴とする昇降装置付照明器具。
【発明の詳細な説明】
【技術分野】
【０００１】
本発明は、天井等に照明器具を設置するための照明器具用接続装置を用いた照明器具および昇降装置付照明器具に関する。
【背景技術】
【０００２】
この種の照明器具は、多目的ホール等、吹き抜けのある高天井に設置されることも多く、高天井に設置される照明器具の場合には、ランプ交換等、メンテナンスの面から昇降装置が使用されている。
【０００３】
これら照明器具は、大型で、特に安定器を内蔵した形式の照明器具の場合には器具重量が５ｋｇ以上あり、天井等、高所における施工性を容易にする必要があり、また、地震などにより器具が落下しないように安全で、かつ確実に設置することができるようにしなければならない。
【０００４】
このため、この種の照明器具を天井に設置するための構成が、例えば、下記の特許文献１に開示されている。
【０００５】
特許文献１に示される照明器具は、ＨＩＤ天井直付照明器具で、天井面に固定する取付具を備え、取付具は底面および正面が開放する箱状のものであり、右側面および左側面にほぼ水平に延びる階段状係合スリットを形成し、器具本体上部に設けた係合片を取付具の正面からその内部に移動して、階段状スリットの一段低い部分で係合させ、係合させた後に電源線を接続してＨＩＤ天井直付照明器具を天井に設置するものである。
【特許文献１】特開２００４-２８８５９７号公報
【発明の開示】
【発明が解決しようとする課題】
【０００６】
しかしながら、特許文献１に示される照明器具は、水平に延びる階段状係合スリットに、器具本体の係合片を取付具の正面から、その内部に水平方向に移動して係合させるため、入口であるスリットの開放部分を狙って係合片を挿入しなければならない。
【０００７】
特に、入口となる開放部分はスリットで構成されているため、細く極めて狭い入口に係合片を正確に合わせなければ、うまく挿入できない。
【０００８】
このため、施工性が悪く、特に重量が重い照明器具を高天井等に設置する場合には一層困難な作業となって、確実に設置することが難しくなり、安全性に結びつかない恐れもある。
【０００９】
このため、この種の天井等に設置する照明器具においては、天井等、高所における施工性を容易にし、また、安全で、かつ確実に設置することができる照明器具を如何に実現するかが重要な課題となっている。
【００１０】
本発明は、上述した問題、課題を解決することを目的とし、施工性を容易にし、かつ確実に設置することができる照明器具および昇降装置付照明器具を提供しようとするものである。
【課題を解決するための手段】
【００１１】
請求項１に記載の照明器具の発明は、被取付面に設置される取付部の両側にガイド部を形成した取付具と；取付具のガイド部にガイドされ取付部と略面一とした状態で移動すると共に、ガイド部に当接して支持される接続具と；接続具が取付具に支持された状態で互いを係合する係合手段と；前記接続具を一端に設けたランプホルダと；ランプホルダの他端に装着されたランプおよび反射笠と；を具備することを特徴とする。
【００１２】
本発明によれば、取付具のガイド部にガイドされ取付部と略面一とした状態で移動すると共に、ガイド部に当接して支持される接続具により、接続具は取付具に対しガイド部にガイドされ、容易、かつ確実に移動することができる。
【００１３】
同時に、接続具は、取付具の取付部と略面一とした状態で移動することができ、被取付面、例えば、天井面をガイドにして移動させることも可能となり、より一層に容易、かつ確実に移動させることができる。
【００１４】
さらに、接続具が取付具に支持された状態で互いを係合する係合手段により、より一層確実に設置することができる。
【００１５】
本発明における照明器具は、直付け形の天井用照明器具、昇降装置を有する天井用照明装置であってもよく、さらには、パイプ吊具、チェーン吊具、フック吊具等に取り付けられる照明器具であってもよく、要は、被取付面に設置される取付具と接続具により接続されて設置される全ての照明器具に適用される。
【００１６】
被取付面は、照明器具を設置するための取付面で、より具体的には取付具を取り付けるための取付面で、例えば、建築物における天井、斜めに傾斜した壁面からなる天井、垂直な壁面等が許容される。
【００１７】
さらに、昇降装置付照明器具の場合には、照明器具と昇降装置を連結するための昇降部が被取付面となることも許容する。
【００１８】
取付具は、鋼板等の金属板をプレス加工等で、平板状の取付部の両側に段部をなすガイド部を形成することが許容されるが、材質および加工は鋼板のプレスに限らず、アルミニウムのダイカストでも、さらには、強度の強い合成樹脂で構成してもよい。
【００１９】
取付部は、平坦な天井等の被取付面に取り付ける場合には、平板状をなしていることが好ましいが、平板状に構成することが条件でなく、被取付面の形状、状態に合わせた形状をなしていればよい。
【００２０】
取付部には、天井面や昇降装置の昇降部に取り付けるための取付孔、さらには電源線等が挿通する電線用の挿通孔が形成されていてもよい。
【００２１】
ガイド部は、取付部の両側に段部をなしていることが好ましいが、段部に限らず側板状に構成してもよく、後述する接続具の移動をガイドする全ての手段が許容される。
【００２２】
接続具は、取付具のガイド部にガイドされ取付部と略面一とした状態で移動するが、完全に取付部と面一になっていても、若干高さが異なった状態で移動してもよく、要は、取付具が設置され、取付具と略同一面をなす天井面等の被取付面をガイドにして移動させることが可能な範囲で面一になっていればよい。
【００２３】
接続具はガイド部に当接して支持されるが、当接する方向は真下の垂直方向でも、斜め下方に向けて当接するものであってもよい。
【００２４】
接続具は、取付具と同様、鋼板等の金属板をプレス加工等で形成することが許容されるが、材質および加工は鋼板のプレスに限らず、アルミニウムのダイカストでも、さらには、強度の強い合成樹脂で構成してもよい。
【００２５】
接続具が取付具に支持された状態で互いを係合する係合手段は、取付具のガイド部が段部で構成されている場合には、接続具が所定の場所まで移動し支持された状態で、取付具と接続具に形成された、例えば、凹部と凸部の係合により移動を阻止する係合手段であってもよい。
【００２６】
さらに、取付具のガイド部が側板状に形成されている場合には、接続具が所定の場所まで移動した際に、取付具と接続具に形成された、例えば、鉤状の孔と凸部の係合により移動を阻止すると共に、鉤状の孔と凸部の係合により取付具への接続具の支持が同時に行われるように構成してもよい。
【００２７】
取付具と接続具との支持は、係合手段のみによって支持するようにしても、さらに確実に支持するためにボルト等による固定手段を付加するようにしてもよい。
【００２８】
また、本発明の取付具および接続具は、アダプタとして用いるようにしても、さらに照明器具に付属の構成部品として一体に組み込んで販売し用いるようにしてもよい。  
【００２９】
ランプは、所望により、既知の各種光源ランプから任意に選択して用いることができる。例えば、放電ランプおよび白熱電球などを用いることができる。さらに発光ダイオード（ＬＥＤ）などのランプも許容される。
【００３０】
ランプホルダは、安定器を収納していても、収納せずに安定器を別置きに構成してもよい。
【００３１】
請求項２に記載の照明器具の発明は、被取付面に設置される取付部の両側に支持段部を形成した取付具と；取付具の支持段部にガイドされ取付部と略面一とした状態で移動すると共に、支持段部に当接して支持される接続具と；接続具が取付具に支持された状態で互いを係合する係合手段と；前記接続具を一端に設けたランプホルダと；ランプホルダの他端に装着されたランプおよび反射笠と；を具備することを特徴とする。
【００３２】
本発明において、取付部の両側に形成された支持段部は、取付具のガイド部を構成するもので、取付部の両側に一体に段部をなして形成されても、別体に形成した段部を溶接等の手段で一体化させたものであってもよい。
【００３３】
請求項３に記載の昇降装置付照明器具の発明は、天井面に取り付けられ、昇降部をワイヤによって昇降可能とした昇降装置と；取付具が昇降装置の昇降部に設置された請求項１または２に記載の照明器具と；を具備することを特徴とする。
【発明の効果】
【００３４】
請求項１の発明によれば、取付具のガイド部にガイドされ取付部と略面一とした状態で移動すると共に、ガイド部に当接して支持される接続具により、接続具は取付具に対しガイド部にガイドされ、容易、かつ確実に移動させて設置することができる。
【００３５】
同時に、接続具は、取付具の取付部と略面一とした状態で移動することができ、被取付面、例えば、天井面をガイドにして移動させることも可能となり、より一層に容易、かつ確実に移動させて設置することができる。
【００３６】
さらに、接続具が取付具に支持された状態で互いを係合する係合手段により、より一層確実に設置することができ、施工性を容易にし、かつ確実に設置することができる照明器具を提供することができる。
【００３７】
請求項２の発明によれば、取付具の支持段部にガイドされ取付部と略面一とした状態で移動すると共に、支持段部に当接して支持される接続具により、施工性を容易にし、かつ確実に設置することができる照明器具を提供することができる。
【００３８】
請求項３の発明によれば、天井面に取り付けられ、昇降部をワイヤによって昇降可能とした昇降装置と、取付具が昇降装置の昇降部に設置された請求項１または２に記載の照明器具により、施工性を容易にし、かつ確実に設置することができる昇降装置付照明器具を提供することができる。
【発明を実施するための最良の形態】
【００３９】
以下、本発明の照明器具および昇降装置付照明器具の実施形態につき説明する。
【実施例１】
【００４０】
まず、図１、図２に従い第一の実施形態の照明器具に用いる照明器具用接続装置の構成につき説明する。
【００４１】
１０は照明器具用接続装置で、天井等の被取付面Ｘに設置される取付具、取付具にガイドされ支持される接続具、接続具が取付具に支持された状態で互いを係合する係合手段で構成する。
【００４２】
取付具は、天井設置用の取付具１１と昇降装置用の取付具１２（図６（ａ））の２種類の取付具を構成する。
【００４３】
まず、天井設置用の取付具１１の構成につき説明する。
【００４４】
取付具１１は、鋼板をプレス加工して矩形の平板状をなす取付部１１ａを形成し、取付部の両側にガイド部をなす階段状の支持段部１１ｂを一体に形成し、前面、後面および下面が開放した縦断面が略逆Ｕ字形状をなす取付金具として構成する。
【００４５】
取付部１１ａには、木ネジやタッピンネジ等で天井面に取り付けるための貫通する取付孔１１ｃを矩形の各角部に１個ずつ形成し、中央部分に電源線を挿通するための円形の挿通孔１１ｄを形成する。
【００４６】
取付部１１ａの両側に一体に形成された支持段部１１ｂの一方、図中左方の支持段部の後端部分、および他方、図中右方の支持段部の先端部分に凹部１１ｅを一体に形成する。凹部１１ｅは、支持段部の角部を切り欠いて形成した貫通する孔で構成する。
【００４７】
各凹部１１ｅ、１１ｅは、後述する接続具に形成される凸部（突起）が係合し、接続具が取付具に支持された状態で互いを係合する係合手段１１ｆを構成する。
【００４８】
次に、昇降装置用の取付具１２の構成を図６（ａ）に従い説明する。
【００４９】
昇降装置用の取付具１２は、天井設置用の取付具１１と同様、鋼板をプレス加工して矩形の平板状をなす取付部１２ａ、階段状の支持段部１２ｂを一体に形成し、前面、後面および下面が開放した縦断面が略逆Ｕ字形状をなす取付金具として構成する。
【００５０】
取付部１２ａには、ボルト等で昇降装置の昇降部に取り付けるための貫通する取付孔１２ｃを矩形の各辺に対向して２個形成し、対角線上にリード線を挿通する円形の２個の挿通孔１２ｄ、１２ｄを形成する。
【００５１】
取付部１２ａには、天井設置用の取付具１１と同様に係合手段１２ｆを構成する凹部１２ｅを一体に形成する。図中１２ｇは回り止め用の長孔である。
【００５２】
次に接続具の構成につき説明する。
【００５３】
接続具は、天井設置用の取付具１１および昇降装置用の取付具１２に共通して対応する接続具１４として構成される。
【００５４】
接続具１４は、取付具１１、１２と同様、鋼板をプレス加工して矩形の平板状をなす取付部１４ａを形成し、取付部の両側にガイド部をなす側板１４ｂを一体に形成し、側板の先端部分をさらに内側に折り曲げて上面の支持部となる支持片１４ｃを一体に形成し、支持片の間に上面に向けて開口する開口部１４ｄを形成する。
【００５５】
さらに、後面に後板１４ｅを一体に形成し、前面に高さの低い前板１４ｆを形成し、前面を一部開放し、かつ上面を開放した縦断面が略Ｕ字形状をなす接続金具として構成する。
【００５６】
縦断面が略逆Ｕ字形状をなす取付金具として構成された各取付具１１、１２と、縦断面が略Ｕ字形状をなす接続金具として構成された接続具１４における各寸法関係は、次のように設定される（図２）。
【００５７】
すなわち、各取付具１１、１２の幅寸法ａ、高さ寸法ｈと、接続具１４の幅寸法Ａ、高さ寸法Ｈは、ａ＜Ａ  、ｈ＜Ｈの関係に形成する。
【００５８】
これにより、接続具１４の前面の開放部から各取付具１１、１２を接続具内に、接続具の側板１４ｂおよび各取付具１１、１２における支持段部１１ｂ、１２ｂの側面部分をガイドとして挿入することができ、かつ接続具１４の開口部１４ｄを有する上面、すなわち支持片１４ｃの上面と、各取付具１１、１２の取付部１１ａ、１２ａ上面が略面一となる。（図２（ｂ））
さらに、接続具１４が下降することにより、接続具の支持片１４ｃの下面が、各取付具１１、１２の支持段部１１ｂ、１２ｂの上面に載置されて当接し、互いが係合する。（図２（ｃ））
接続具１４の取付部１４ａの両側に一体に形成した側板１４ｂの上辺部分の一方、図中左方の上辺部分の後端部分、および他方、図中右方の上辺部分の先端部分にボルトをねじ込んで内方に突設させて形成した突起１４ｇを形成する。
【００５９】
各突起１４ｇ、１４ｇは、上述した各取付具１１、１２に形成された凹部１１ｅ、１１ｅ、１２ｅ、１２ｅに係合し、接続具１４が下降し各取付具に当接して支持された状態で、互いを係合する係合手段１１ｆ、１２ｆを構成する。（図１（ｂ））
接続具１４の取付部１４ａには、ボルト等で照明器具に取り付けるための貫通する取付孔１４ｈを形成し、中央部分にはリード線を照明器具側に挿通するための円形の挿通孔１４ｉを形成する。
【００６０】
図中１５は、接続具に各取付具を挿入して支持し、係合手段１１ｆ、１２ｆで係合させた状態で、各取付具と接続具を強固に固定するための固定手段で、係合手段１３である凹部および突起と対向した位置、すなわち、図中左方の支持段部の先端部分、および他方、図中右方の支持段部の後端部分にネジ孔１５ａ、１５ａをそれぞれ形成し、ボルト１５ｂ、１５ｂをねじ込む。
【００６１】
これにより、各取付具１１、１２と接続具１４が、さらに確実に強固に固定される。
【００６２】
なお、各取付具および接続具に形成されたネジ孔１５ａ、１５ａは、接続具が下降し支持段部に当接した状態で、互いが合致する位置に形成される。
【００６３】
次に、上記に構成した照明器具用接続装置を用いた照明器具の構成を、安定器内蔵形の高天井用照明器具を例に、図３に従い説明する。
【００６４】
２０は高天井用照明器具で、上記に構成した照明器具用接続装置１０、器具本体２１、ランプ２２および反射笠２３で構成する。
【００６５】
器具本体２１は、ランプホルダ２１ａとランプホルダの他端に設けられたソケット部２１ｂからなる。
【００６６】
ランプホルダ２１ａは、アルミニウムのダイカストで一体に構成され、外面に多数の放熱フィンを形成すると共に、両端部が開口された角筒状をなし、内部に電子安定器（図示せず）を収納する。
【００６７】
ランプホルダ２１ａの上端部の開口には、開口を塞ぐ端板２１ａ１が固定され、この端板に上述した接続具１４を、その取付部１４ａに形成された取付孔１４ｈにボルトをねじ込んで固定する。
【００６８】
ランプホルダ２１ａの下端部の開口には、ソケット部２１ｂを構成する支持ボックス２１ｂ１が取り付けられて閉塞される。
【００６９】
支持ボックス２１ｂ１には、支持枠１２ｂ２を介して所定の角度にわたり回動できるようにソケット２１ｂ３が支持される。
【００７０】
ソケット２１ｂ３が回動できるように支持されているので、照明器具２０を垂直な壁面に設置する場合には、ランプホルダ２１ａを壁面に対して直角に、ソケット２１ｂ３が壁面に平行な垂直方向になるように折り曲げて設置することができる。
【００７１】
ソケット２１ｂ３には、４００Ｗのメタルハライドランプからなるランプ２２が装着され、ランプを覆って高天井用の反射笠２３が設けられている。
【００７２】
次に上記のように構成された高天井用照明器具を、工場などの天井面に直付けで取り付ける施工手順を図２および図４に従い説明する。
【００７３】
まず、照明器具用接続装置１０の取付具としては、天井設置用の取付具１１を用意する。
【００７４】
また、設置する天井面Ｘには貫通孔を形成して、電源線を引き出しておく。
【００７５】
次に、引き出された電源線を、取付具１１の挿通孔１１ｄに挿通し、さらに４個の取付孔１１ｃに木ネジやタッピンネジをネジ込み天井面に取付具１１を強固に固定する。
【００７６】
次に、照明器具２０を持ち上げ、ランプホルダ２１ａの上端部に固定された接続具１４を、前面の開放部から取付具１１を、接続具１４の内部に収納するように挿入していく。（図２（ａ））
この際、接続具１４の側板１４ｂおよび取付具１１における支持段部の側面部分をガイドとして挿入する。
【００７７】
同時に、接続具１４の上面、すなわち支持片１４ｃの上面と取付具１１の取付部１１ａの上面が略面一となっているので、接続具１４の上面を天井面Ｘに当てながらガイドにして水平方向に移動させて挿入する。（図４（ａ））
さらに、接続具１４の後板１４ｅに取付具１１の先端部分が当接するまで挿入し、その状態で照明器具２０を手から離す。
【００７８】
これにより、照明器具が下降し接続具１４の支持片１４ｃの下面が取付具１１の支持段部１１ｂの上面に載置されて当接し、互いが係合する。（図２（ｃ））
この状態で、同時に接続具１４の側板１４ｂに形成した各突起１４ｇ、１４ｇが、取付具１１に形成された凹部１１ｅ、１１ｅに落とし込まれ（図１（ｂ））、接続具１４が取付具１１に支持された状態で互いが係合され、照明器具２０は天井面Ｘに確実に止められた状態となり、容易には外れないようになっている。（図４（ｂ））
この状態で、取付具１１の挿通孔１１ｄから引き出された電源線と、接続具１４の挿通孔１４ｇから引き出された安定器側のリード線をコネクタ等で接続して配線を行う。
【００７９】
配線されたリード線やコネクタは、取付具１１の下面と接続具１４との間に形成される空間部ｓ内に収納する。
【００８０】
この空間部ｓは、上記のように接続具１４が下降して取付具１１の下面と接続具１４との間隔が大きくなり、空間部ｓが広く形成されているので、余裕を持った配線スペースとして有効に活用できる。
【００８１】
この配線作業は、照明器具２０が上記のように天井面Ｘに確実に止められた状態となっているので、大きく、かつ重量の重い照明器具を持ち上げている必要がなく、一人の作業者が安全に、かつ確実に行うことができ、高い天井での施工作業が楽に行える。
【００８２】
次に、接続具１４が下がった状態で互いが合致しているネジ孔１５ａ、１５ａにボルト１５ｂ、１５ｂをねじ込み、取付具１１と接続具１４を強固に固定する。（図１（ｃ））
これにより、接続具１４の各突起１４ｅ、１４ｅと取付具１１の凹部１１ｅ、１１ｅが係合して止められた状態、一種の仮止めとなっている状態を、より一層確実に固定する。
【００８３】
以上により、高天井用照明器具を天井面へ設置するための施工作業が完了する。
【００８４】
また、上記のように設置された高天井用照明器具において、照明器具の修理、点検等を行うために、照明器具を取り外す場合には上記と逆に操作すればよい。
【００８５】
まず、ボルト１５ｂ、１５ｂをネジ孔１５ａ、１５ａから外す。
【００８６】
この状態で、空間部ｓ内に収納されているリード線やコネクタの配線を外して分離する。
【００８７】
この分離作業も、照明器具２０が上記のように天井面Ｘに確実に止められた状態となっているので、大きく、かつ重量の重い照明器具を持ち上げている必要がなく、設置時と同様に一人の作業者で行える。
【００８８】
次に、照明器具２０を少し持ち上げ、各突起１４ｇ、１４ｇと凹部１１ｅ、１１ｅの係合を解除する。同時に接続具１４の支持片１４ｃの下面が取付具１１の支持段部１１ｂから浮き上がり、互いが当接し係合していた状態が解除される。この状態で、接続具１４を取付具１１から引き抜く。
【００８９】
この際、接続具１４の側板１４ｂおよび支持段部１１ｂの側面部分をガイドとして引き抜く。
【００９０】
同時に、接続具１４の上面、すなわち支持片１４ｃの上面と取付具１１の取付部１１ａの上面が略面一となっているので、接続具１４の上面を天井面に当てながらガイドにして水平方向に移動させて引き抜く。
【００９１】
これにより、天井面Ｘから高天井用照明器具２０を取り外す作業が完了し、修理、点検等が行われる。
【００９２】
次に、多目的ホール等、吹き抜けのある高天井に、上述した高天井用照明器具２０を設置する施工手順を図５に従い説明する。
【００９３】
このような高天井に照明器具を設置する場合には、ランプ交換等、メンテナンスの面から昇降装置が使用される。
【００９４】
まず、照明器具用接続装置１０の取付具としては、昇降装置用の取付具１２を用意する。
【００９５】
また、設置する天井面Ｘには、予め昇降装置３０を設置しておく。
【００９６】
次に、昇降装置を作動させて、２本のワイヤ３０ａ、３０ａを巻き戻して昇降部３０ｂを下降させる。
【００９７】
下降した昇降部３０ｂから引き出されたリード線を取付具１２の挿通孔１２ｄに挿通し、さらに２個の取付孔１２ｃにボルトをネジ込んで、昇降部３０ｂの接続面３０ｂ１に取付具１２を強固に固定する。
【００９８】
次に、床面に起立しておかれた照明器具２０のランプホルダ２１ａの上端部に固定された接続具１４の前面の開放部から取付具１２を接続具１４の内部に収納するように挿入していく。
【００９９】
この際、接続具１４の上面、すなわち支持片１４ｃの上面と取付具１２の取付部１２ａ上面が略面一となっているので、接続具１４の上面を昇降部３０ｂの接続面３０ｂ１に当てながらガイドにして横に移動させて挿入する。（図２（ａ）と同様）
次に、その状態で昇降装置を作動させて、２本のワイヤ３０ａ、３０ａを少し巻き上げて、昇降部３０ｂを少し持ち上げる。
【０１００】
これにより、昇降部３０ｂが上がり、相対的には照明器具２０が下降し、接続具１４の支持片１４ｃの下面が取付具１２の支持段部１２ｂの上面に載置されて当接し、互いが係合する。（図２（ｃ）と同様）
この状態で、各突起１４ｇ、１４ｇが、凹部１２ｅ、１２ｅに落とし込まれ、接続具１４が取付具１２に支持された状態で互いが係合され、照明器具２０は昇降部３０ｂに確実に止められた状態となり、容易には外れないようになっている。
【０１０１】
この状態で、取付具１２から引き出された昇降装置３０からのリード線と、接続具１４から引き出された安定器側のリード線をコネクタ等で接続して配線を行う。
【０１０２】
配線されたリード線やコネクタは、取付具１２の下面と接続具１４との間に形成される空間部ｓ内に収納する。
【０１０３】
次に、ネジ孔１５ａ、１５ａにボルト１５ｂ、１５ｂをねじ込み、昇降部３０ｂと照明器具２０を強固に固定する。
【０１０４】
この状態で、昇降装置３０を作動させて、昇降部３０ｂと共に照明器具２０をワイヤ３０ａ、３０ａを巻き上げて上昇させ昇降部を昇降装置内に収納する。
【０１０５】
これにより、高天井用照明器具２０が、そのランプ２２および反射笠２３を下方に向け、下方床面を照明するように設置され、昇降装置付照明器具を高天井へ設置するための施工作業が完了する。
【０１０６】
また、ランプ交換や、照明器具の修理、点検等を行う場合には、壁面等に配線設置された昇降用スイッチの「下降」ボタンを押し、昇降装置３０を駆動してワイヤ３０ａ、３０ａを繰り出し照明器具２０を床面に降ろした状態で、設置のための作業と逆の操作を行えばよい。
【０１０７】
以上、本実施例によれば、照明器具２０の天井面Ｘへの設置作業においては、照明器具２０に固定された接続具１４の上面を、天井面Ｘ、若しくは昇降装置３０の昇降部３０ｂに当てながら、さらに、接続具１４の側板１４ｂおよび各取付具１１、１２の支持段部１１ｂ、１２ｂの側面部分をガイドにして水平方向へ移動する簡単な作業で行うことができ、施工性を容易にし、かつ確実に設置することができる照明器具および昇降装置付照明器具を提供することができる。
【０１０８】
接続具１４は、下降して支持片１４ｃの下面を取付具１１の支持段部１１ｂの上面に載置して当接し、互いが係合するようにしたので、照明器具の天井面への設置作業においては、照明器具を所定の位置まで移動し、かつ照明器具を手から離して下降させる簡単な操作で行える。
【０１０９】
同時に、照明器具２０を手から離して下降させる簡単な操作で、接続具１４の各突起が、取付具１１、１２に形成された凹部に落とし込まれ、照明器具２０が取付具１１に対し移動ができないように確実にロックされる。
【０１１０】
これにより、照明器具２０は天井面Ｘに確実に止められた状態となり、容易には外れないようになっているので、高い天井での作業となる配線作業等を安全で、かつ確実に行える。
【０１１１】
しかも、この配線作業は、大きく、かつ重量の重い照明器具を持ち上げている必要がなく、一人の作業者で行うことができる。
【０１１２】
配線されたリード線やコネクタは、取付具１１の下面と接続具との間に形成される空間部ｓ内に収納するようにし、しかも、この空間部ｓは、接続具１４が下降し空間部が広く形成されるので、余裕を持った配線スペースとして有効に活用できる、配線作業が一層容易になる。
【０１１３】
さらに、ネジ孔１５ａ、１５ａにボルト１５ｂ、１５ｂをねじ込み、取付具１１、１２と接続具１４を固定するようにしたので、照明器具２０は天井面Ｘに、より一層確実に設置され、地震などにより容易に外れることがない安全な状態で設置される。
【０１１４】
取付具は、天井設置用の取付具１１と昇降装置用の取付具１２の２種類の専用の取付具を構成したので、各種の照明器具に対応することが可能となり、より一層施工性を容易にし、かつ確実に設置することができる。
【０１１５】
接続具は、天井設置用の取付具１１および昇降装置用の取付具１２に共通して対応する接続具１４として構成したので、照明器具としては、予め接続具をランプホルダ等に固定した状態で提供することができ、施工現場での固定が不要となって作業が簡素化され、一層施工性が向上する。
【０１１６】
以上、本実施形態において、照明器具用接続装置１０の取付具１１を、縦断面が略逆Ｕ字形状をなす取付金具として構成し、接続具を縦断面が略Ｕ字形状をなす接続金具として構成したが、図６(ｂ)に示すように、逆に構成するようにしてもよい。
【０１１７】
すなわち、接続具１４を天井面に設置して取付具１１´、１２´となし、取付具１１、１２を照明器具２０のランプホルダ２１ａに固定して接続具１４´となすようにしてもよい。この場合、各取付孔および電線用の各挿通孔は関係を逆にして形成する。
【０１１８】
取付具１１を天井面または昇降装置の昇降部に取り付けて、天井直付け形の照明器具および昇降装置付照明器具を構成したが、パイプ吊具、チェーン吊具やフック吊具の器具取付部に、本実施例の取付具１１を取り付けて、パイプ吊具形、チェーン吊具形やフック吊具形等の照明器具を構成してもよい。
【０１１９】
取付具は、天井設置用の取付具１１と昇降装置用の取付具１２の２種類の専用の取付具を構成したが、1種類の取付具に天井設置用および昇降装置用、さらには上記パイプ吊具用、チェーン吊具用やフック吊具用等の各種の取付孔等を形成し、各種照明器具用の取付具を1種類の取付具で兼用させるようにしてもよい。
【０１２０】
高天井用照明器具２０は、ソケット２１ｂ３が所定の角度にわたり回動できるように構成したが、ランプホルダに直接固定して回動しない方式の高天井用照明器具を構成してもよい。
【０１２１】
取付具１１の下面と接続具１４との間に形成される空間部ｓの前面および後面に形成される開口を、別途の蓋部材で閉塞するようにしてもよい。
【実施例２】
【０１２２】
本実施例の照明器具は、取付具のガイド部を側板状に構成し、側板に形成した鉤状の孔と、接続具の側板に形成した凸部の係合により、水平方向の移動を阻止すると共に、接続具の取付具への支持が同時に行われるように構成したものである。
【０１２３】
以下その構成を図７、図８に従い説明する。なお、図７、図８には、実施例１と同一部分には同一符号を付してある。
【０１２４】
すなわち、天井設置用の取付具１１は実施例１と同様に、鋼板をプレス加工して矩形の平板状をなす取付部１１ａを形成し、取付部の両側にガイド部をなす側板１１ｂ、１１ｂを、前面に前板１１ｂ´をそれぞれ一体に形成し、後面および下面が開放した縦断面が略逆Ｕ字形状をなす取付金具として構成する。
【０１２５】
側板１１ｂの後端部分には、貫通する鉤状の孔４０を形成する。鉤状の孔は、一端、本実施例では後端が開放した入口部４０ａをなす水平部４０ｂと水平部の先端側から下方に直角に形成された直線部４０ｃからなる。
【０１２６】
鉤状の孔４０は、両側板１１ｂ、１１ｂにその向きが同一方向になるように対向して形成される。
【０１２７】
各鉤状の孔４０は、後述する接続具１４に形成される凸部（突起）が係合し、接続具が取付具に支持された状態で互いを係合する係合手段１１ｆを構成する。
【０１２８】
取付部１１ａには、実施例１と同様に、木ネジやタッピンネジ等で天井面に取り付けるための貫通する取付孔１１ｃを矩形の各角部に１個ずつ形成し、中央部分に電源線を挿通するための円形の挿通孔１１ｄを形成する。
【０１２９】
さらに、実施例１と同様に昇降装置用の取付具も構成する。
【０１３０】
接続具１４は、実施例１と同様に、鋼板をプレス加工して矩形の平板状をなす取付部１４ａを形成し、取付部の両側にガイド部をなす側板１４ｂを一体に形成し、両側板の先端部分の間に上面に向けて開口する開口部１４ｄを形成する。（支持片１４ｃは設けない）
さらに、後面に後板１４ｅを一体に形成し、前面に高さの低い前板１４ｆを形成し、前面を一部開放し、かつ上面を開放した縦断面が略Ｕ字形状をなす接続金具として構成する。
【０１３１】
取付具１１と、接続具１４における各寸法関係は、取付具１１の幅寸法ａと、接続具１４の幅寸法Ａが、ａ＜Ａ  の関係に形成する。
【０１３２】
これにより、接続具１４の開口部１４ｄを有する上面と、取付具１１の取付部１１ａ上面が略面一となる。
【０１３３】
接続具１４の両側板１４ｂの上辺部分の後端部分にボルトをねじ込んで内方に突設させて形成した突起１４ｇを形成する。
【０１３４】
接続具１４の各突起１４ｇ、１４ｇおよび鉤状の孔４０は、各取付具１１、１２の鉤状の孔４０に入口部４０ａから挿入され、水平部４０ｂにガイドされて水平方向に移動し、直線部４０ｃに落とし込まれて支持されると共に、お互いが当接し係合することにより係合手段１１ｆを構成する（図７（ｃ））。
【０１３５】
なお、接続具１４の取付部１４ａには、実施例１と同様、取付孔１４ｈおよび円形の挿通孔１４ｉを形成する。
【０１３６】
この接続具は、実施例１と同様に天井設置用の取付具１１および昇降装置用の取付具に共通して対応する接続具１４として構成する。
【０１３７】
図中１５は、接続具に各取付具を挿入して支持した状態で、各取付具と接続具を強固に固定するための固定手段で、取付具と接続具の前板１１ｂ´、１４ｆにネジ孔１５ａ、１５ａを形成し、ボルト１５ｂをねじ込むことにより、取付具１１と接続具１４が、さらに確実に強固に固定される。
【０１３８】
なお、取付具および接続具の前板に形成されたネジ孔１５ａ、１５ａは、接続具が下降した状態で、互いが合致する位置に形成される。
【０１３９】
上記のように構成した取付具および接続具を具備する照明器具用接続装置１０は、実施例１と同様にして、取付具を天井面Ｘや昇降装置３０の昇降部３０ｂに、接続具を各照明器具のランプホルダにそれぞれ固定し、直付け形の照明器具および昇降装置付照明器具等が天井面に設置される。
【０１４０】
なお、図８（ａ）に示すように、照明器具２０の天井面Ｘへの設置作業において、照明器具２０に固定された接続具１４の上面を、天井面Ｘ、若しくは昇降装置３０の昇降部３０ｂに当てながらガイドにして水平方向へ移動するが、照明器具は図８（ｂ）に示すように、接続具１４の各突起１４ｇ、１４ｇと鉤状の孔４０が係合した状態で、手を離すと、傾斜した状態で支持されるので、この状態で配線作業等を行い、完了後に取付具および接続具の前板１１ｂ´、１４ｆに形成されたネジ孔１５ａ、１５ａにボルト１５ｂをねじ込んで固定する。（図８（ｃ））
本実施例において、その他の構成、施工手順、作用、作動、変形例、作用効果等は、実施例１と同様である。
【０１４１】
以上、本発明の好適な実施形態を説明したが、本発明は上述の各実施例に限定されることなく、本発明の要旨を逸脱しない範囲内において、種々の設計変更を行うことができる。
【図面の簡単な説明】
【０１４２】
【図１】本発明の第一の実施形態における照明器具を示し、（ａ）は照明器具用接続装置を照明器具に固定した状態を示す斜視図、（ｂ）は（ａ）のＡ−Ａ線に沿う断面図、（ｃ）は（ａ）Ｂ−Ｂ線に沿う断面図。
【図２】同じく照明器具用接続装置の接続の手順を示し、（ａ）は取付具に接続具を挿入する前の状態を示す斜視図、（ｂ）は接続具を取付具に挿入した状態を示す斜視図、（ｃ）は接続具を当接させた状態を示す斜視図。
【図３】同じく本発明の第一の実施形態における照明器具を示し、（ａ）は正面図、（ｂ）は側面図。
【図４】同じく照明器具を天井面に設置するための施工の手順を示す図で、（ａ）は取付具に照明器具の接続具を挿入する前の状態を示す正面図、（ｂ）は接続した状態を示す正面図。
【図５】同じく昇降装置付照明器具を天井面に設置するための施工の手順を示す図で、（ａ）は昇降部の取付具に照明器具の接続具を挿入する前の状態を部分的に示す正面図、（ｂ）は接続した状態を示す正面図。
【図６】同じく照明器具用接続装置の変形例を示し、（ａ）は昇降装置用の取付具を示す斜視図、（ｂ）は取付具と接続具を逆にして、取付具を照明器具に接続具を天井面に固定し接続した状態を示す正面図。
【図７】本発明の第二の実施形態における照明器具を示し、（ａ）は取付具に接続具を挿入する前の状態を示す斜視図、（ｂ）は接続した状態を示す斜視図、（ｃ）は係合手段を拡大して示す図。
【図８】同じく照明器具を天井面に設置するための施工の手順を示し、（ａ）は取付具に照明器具の接続具を挿入する前の状態を示す正面図、（ｂ）は接続具を取付具に係合した状態を示す斜視図、（ｃ）は接続した状態を示す斜視図。
【符号の説明】
【０１４３】
Ｘ  被取付面
１０  照明器具用接続装置
１１、１２  取付具
１１ａ、１２ａ  取付部
１１ｂ、１２ｂ  ガイド部
１１ｆ、１２ｆ  係合手段
１４  接続具
２０  照明器具
２１ａ  ランプホルダ
２２  ランプ
２３  反射笠
【図１】
2007335207.tif 000003
【図２】
2007335207.tif 000004
【図３】
2007335207.tif 000005
【図４】
2007335207.tif 000006
【図５】
2007335207.tif 000007
【図６】
2007335207.tif 000008
【図７】
2007335207.tif 000009
【図８】
2007335207.tif 000010